(57)【特許請求の範囲】
【請求項１】
見積もりシステムと発注処理システムを備えたコンピュータと、測量士用コンピュータと、不動産鑑定士用コンピュータと、税理士用コンピュータとを、ネットワークを介して接続し、さらに、精算システムを備えたコンピュータを有するものであって、
前記見積もりシステムを備えたコンピュータには、評価対象地の個別的要因と地域要因及び公示価格を含む不動産価格の概算を行うために必要な情報が入力され、
前記見積もりシステムは、前記入力された情報から、測量費用の概算を算出し、
前記見積もりシステムは、前記入力された情報から、不動産鑑定費用の概算を算出し、
前記見積もりシステムは、前記入力された情報から、不動産価格の概算を算出し、当該不動産価格の概算を前記ネットワークを介して前記税理士用コンピュータに通知し、
前記税理士用コンピュータは、前記見積もりシステムから、前記不動産価格の概算を受け入れて、課税価格と税額を含む、修正申告書見本を編集し、当該修正申告書見本を、前記ネットワークを介して前記見積もりシステムを備えたコンピュータに送信し、
前記見積もりシステムは、
前記測量費用の概算と、前記前記不動産鑑定費用の概算と、税理士による修正申告手続き費用と、弁護士による還付金の代理受領費用と、還付金額と、前記不動産価格の概算とを含む見積もり報告書を編集して出力し、
前記発注処理システムは、
前記測量士による評価対象地の測量を発注する発注契約書類を編集して測量士用コンピュータに送信し、前記不動産鑑定士による不動産鑑定評価書の作成を発注する発注契約書類を編集して不動産鑑定士用コンピュータに送信し、前記税理士による修正申告手続きを発注する発注契約書類を編集して税理士用コンピュータに送信し、還付された税金を代理受領する代理受領業務を弁護士に発注する発注契約書類を編集してプリンタにより出力し、
前記精算システムは、前記弁護士による代理受領費用と、前記測量士による測量費用と、前記不動産鑑定士による不動産鑑定費用と、前記税理士による修正申告費用とを決済するための演算処理と、相続人が発行した還付額の請求書を決済するための演算処理を実行することを特徴とする相続税還付支援システム。
【発明の詳細な説明】
【０００１】
【発明の属する技術分野】
本発明は、相続税の修正申告の可否を判断し、顧客に相続税還付のための総合的なサービスを提供する相続税還付支援システムに関する。
【０００２】
【従来の技術】
一般に、確定申告の手続きは税理士に依頼することが好ましいが、内容や手続きが簡単な場合には、申告者本人が作成する場合も少なくない。相続税についても同様である。しかしながら、相続税については、対象となる土地の評価額の算定如何で税額が大きく異なることもある。特に、様々な法律の規制を受ける土地や開発許可が必要な土地、山林や農地などについては、専門家すなわち不動産鑑定士の鑑定した価格と、公示価格との差が著しく、土地価格を過大に評価して納税するケースも少なくない。このような場合に、確定申告から５年以内に修正申告を行うことによって、税金の還付を受ける制度が設けられている。この修正申告を希望する場合には、あらかじめ不動産鑑定士に鑑定依頼を行い、その結果を税理士に伝えて修正申告書を提出する。
【０００３】
【発明が解決しようとする課題】
ところで、上記のような従来の技術には、次のような解決すべき課題があった。
もともと土地価格の判定は容易ではなく、不動産鑑定士に鑑定を依頼すべきかどうかの判断も難しい。不動産鑑定には非常に多くの情報収集と複雑な計算が必要になるから、鑑定費用はかなり高額になる。にもかかわらず、鑑定を依頼して鑑定結果を得ても、確定申告で提出した内容と大差のない結果を得た場合には鑑定料が無駄になる。また、修正申告により還付される税金の額が少なければ、修正申告をしても鑑定費用や税理士への手数料を支払うとほとんどプラスにならないといったケースも考えられる。さらに、高額の税金が還付された場合に、相続人が複数存在すると、還付先や還付金額の問題で新たなトラブルが発生するおそれもある。
本発明は、相続人に対してこうした修正申告の可否判断を予備的に行い、相続人に充分利益が保証される場合にのみ、不動産鑑定士や税理士への発注を行うことができるシステムを提供することを目的とする。
またさらに本発明は、修正申告により税金が還付されたとき、手続きに伴う測量や不動産鑑定、税務申告などのために要した費用を自動的に決済し、さらに複数の相続人がいる場合に過不足なく各相続人へ該当する金額を送金して、相続人の手続きの便宜を図ることができるシステムを提供することを目的とする。
さらに本発明は、確定申告書未提出の相続人に対しても、評価対象地の適正な確定申告に要する費用見積もりをして、確定申告書見本を作成することのできるシステムを提供することを目的とする。
【０００４】
【課題を解決するための手段】
本発明は以上の点を解決するため次の構成を採用する。
〈構成１〉
見積もりシステムと発注処理システムを備えたコンピュータと、測量士用コンピュータと、不動産鑑定士用コンピュータと、税理士用コンピュータとを、ネットワークを介して接続し、さらに、精算システムを備えたコンピュータを有するものであって、前記見積もりシステムを備えたコンピュータには、評価対象地の個別的要因と地域要因及び公示価格を含む不動産価格の概算を行うために必要な情報が入力され、前記見積もりシステムは、前記入力された情報から、測量費用の概算を算出し、前記見積もりシステムは、前記入力された情報から、不動産鑑定費用の概算を算出し、前記見積もりシステムは、前記入力された情報から、不動産価格の概算を算出し、当該不動産価格の概算を前記ネットワークを介して前記税理士用コンピュータに通知し、前記税理士用コンピュータは、前記見積もりシステムから、前記不動産価格の概算を受け入れて、課税価格と税額を含む、修正申告書見本を編集し、当該修正申告書見本を、前記ネットワークを介して前記見積もりシステムを備えたコンピュータに送信し、前記見積もりシステムは、前記測量費用の概算と、前記前記不動産鑑定費用の概算と、税理士による修正申告手続き費用と、弁護士による還付金の代理受領費用と、還付金額と、前記不動産価格の概算とを含む見積もり報告書を編集して出力し、前記発注処理システムは、前記測量士による評価対象地の測量を発注する発注契約書類を編集して測量士用コンピュータに送信し、前記不動産鑑定士による不動産鑑定評価書の作成を発注する発注契約書類を編集して不動産鑑定士用コンピュータに送信し、前記税理士による修正申告手続きを発注する発注契約書類を編集して税理士用コンピュータに送信し、還付された税金を代理受領する代理受領業務を弁護士に発注する発注契約書類を編集してプリンタにより出力し、前記精算システムは、前記弁護士による代理受領費用と、前記測量士による測量費用と、前記不動産鑑定士による不動産鑑定費用と、前記税理士による修正申告費用とを決済するための演算処理と、相続人が発行した還付額の請求書を決済するための演算処理を実行することを特徴とする相続税還付支援システム。
【０００８】
【発明の実施の形態】
以下、本発明の実施の形態を具体例を用いて説明する。
図１は、本発明の相続税還付支援システム具体例を示すブロック図である。
図のシステムでは、コンサルタント会社に設けられたコンピュータ１によって、不動産等の相続人３に対して、修正申告の可否判断サービスと、相続税還付手続きの支援を行う。相続の対象となる土地を再評価して修正申告を行い、税金の還付を受けるためには、様々な専門家の協力が必要になる。相続人がこれらの専門家に個別に業務を依頼したり、個別に報告書を受け取るのでは手続きが煩雑になる。従って、このシステムではコンサルタント会社のコンピュータ１が各専門家のコンピュータとネットワークを通じて接続されて、業務を連携する。
【０００９】
例えば、相続人３が不動産会社４に対し相続税について相談を行ったような場合に、不動産会社４からコンサルタント会社にサービスの依頼がある。コンサルタント会社のコンピュータ１は測量士のコンピュータ５と不動産鑑定士のコンピュータ６と税理士のコンピュータ７と連携してサービスを実行する。コンサルタント会社に対し相続人３が不動産会社４を通じて紹介されると、コンサルタント会社の担当者は相続人３から次のような情報を収集する。
【００１０】
１．既に税理士などを通じて相続税の確定申告を提出しているか。
２．相続税の対象となっている土地、すなわち今回依頼を受ける評価対象地はどのような土地か。
３．物納土地が存在するか。
４．実測図を所持しているか。
５．相続人は何人か。また相続人各人の続柄はどうか。
６．課税価格と相続税額はいくらか。
【００１１】
こうした情報に基づいて見積もりシステム１１を動作させて報告書を作成し、相続人に手渡す。このとき、提携している測量士、不動産鑑定士、税理士、弁護士などの紹介をする。この見積もり報告書には、測量士による測量費用の概算、不動産鑑定士による不動産鑑定費用の概算、税理士による修正申告手続き費用、弁護士による還付金の代理受領費用、及び具体的な還付金額、及び各相続人の受取金額の概算が含まれる。この報告書は、コンサルタント会社のコンピュータ１にインストールされたアプリケーションプログラムによって自動的に算出する。本発明ではこのシステムを見積もりシステム１１と呼んでいる。
【００１２】
図２は見積もりシステムの具体的な動作フローチャートである。
まずステップＳ１において、不動産会社４から見積もり依頼を受け付けて処理を開始する。ステップＳ２で、物件の下見により得た評価対象地の個別的要因と地域要因及び公示価格を含む情報をコンピュータ１に入力する。これらの情報は、不動産価格の概算を行うために必要な情報であって、要求される見積もり額の精度に応じて取捨選択される。なお、その場合にも、比較的簡単な打ち合わせで入手できる情報のみを入力して結論を得るようにする。ある程度精度が高く、かつ、低コストで迅速に見積もりを実行するためである。ステップＳ３では測量費用の概算を算出する。
【００１３】
ステップＳ４では、不動産価格の概算を算出する。これはステップＳ２で得られた情報から概略的な不動産鑑定評価に必要なデータを取得して自動的に演算処理される。なお、この演算処理の具体的な内容は後で詳細に説明する。ステップＳ５では、不動産鑑定費用の概算を算出する。
【００１４】
ステップＳ６では、ステップＳ４で算出した不動産価格の概算を税務システム側に通知する。すなわちコンサルタント会社のコンピュータ１は、税理士のコンピュータ７に対して、この不動産価格を示すデータを送信する。この発明では、税理士のコンピュータ７を税務システムと呼ぶ。税務システムは還付金額の計算をする。コンサルタント会社のコンピュータ１に簡単な税務計算をするアプリケーションソフトウエアがインストールされていれば、コンサルタント会社側で還付金額の計算をすることも可能である。この図の例では、各専門家の連携によって、それぞれが所持するシステムを有効に活用するため、不動産価格を税理士のコンピュータ７に送信する。同時に、相続人３から借用した確定申告書記載事項の写しを送信する。税理士のコンピュータ７では、これらの情報を用いて自動的に修正申告書の見本を作成する。
【００１５】
図３は税務システムの動作フローチャートである。
図のステップＳ１１において、税理士のコンピュータ７には、見積もりシステムにより算出された不動産価格が入力される。そしてステップＳ１２において、確定申告書記載事項を入力する。これにより税理士のコンピュータ７では、通常の業務に使用している税額計算プログラムによって、課税価格と税額とを自動的に計算する。そしてステップＳ１４において修正申告書見本を編集し、ステップＳ１５において修正申告書見本を印刷する。この課税価格と税額の計算結果と修正申告書見本はコンサルタント会社のコンピュータ１に送信される。こうして、図２（ａ）のステップＳ７において、測量士による測量費用の概算、不動産鑑定士による不動産鑑定費用の概算、税理士による修正申告手続き費用、弁護士による還付金の代理受領費用、及び具体的な還付金額、及び各相続人の受取金額の概算を含む見積もり報告書が編集される。そしてステップＳ８でプリンタを用いてその内容が印刷される。見積もり報告書は相続人に渡される。税理士からは修正申告書の見本が相続人に渡される。
【００１６】
相続人３は、見積もりシステム１１により作成された各種費用の見積もり額や還付金額を比較検討して、正式に修正申告の手続きを依頼するかどうかを判断する。ここまでの処理はコンサルタント会社のコンピュータ１や税理士のコンピュータ７を用いて可能な限り低額であるいは無料で行う。相続人３は、これにより大きな負担なしに修正申告をすべきかどうかの判断が可能になる。修正申告をすべきと判断した場合には、正式にコンサルタント会社に対し、その依頼を行う。この場合にコンサルタント会社では、発注処理システム１２を動作させて、各種の手続きのための発注契約書類を編集し、発送する。修正申告を成功させるためには、測量士、不動産鑑定士、税理士、弁護士の連携が必要になる。これらの専門家への依頼その他の手続き一切をコンサルタント会社が引き受けて、相続人３の便宜を図る。
【００１７】
図４は、コンサルタント会社のコンピュータにおいて実行される発注システムの動作フローチャートである。
まずステップＳ２１において修正申告手続き発注契約書類を編集する。この発注契約書類は、相続人とコンサルタント会社との間の契約書である。ステップＳ２２では、評価対象地の測量をするための発注契約書類を編集する。この発注契約書類は、測量士に対して送付される。ステップＳ２３では不動産鑑定評価書の作成を発注するための発注契約書類を編集する。これは不動産鑑定士に発送される。その後、修正申告書の提出手続きを税理士に発注し、還付された税金を代理受領する代理受領業務を弁護士に発注する。この発注は、ファクシミリやｅメールで行えばよい。各専門家との連携を的確に行い、相続人の負担を軽減するためには、こうした発注契約書類を作成したりするシステムが非常に有効に機能する。
【００１８】
これらにより、図４（ｂ）に示すように、測量士により測量図が作成され、不動産鑑定士によってその測量図を使用した不動産鑑定評価書が作成される。次に税理士によってその鑑定結果に基づき修正申告書が作成され、これが税務署に提出される。その後税務署による現地調査が行われ、その結果税務署から更正決定通知が依頼人である相続人に送付される。その後税務署から弁護士に対し、更正金額が振り込まれる。例えば税務署から相続人の１人に還付金を振り込むという方法も可能である。しかしながら、それではその後このシステムのために連携する各専門家に対する費用の支払い手続きが必要になる。さらに複数の相続人がいる場合には、各相続人に対する配分を法律上明確にする必要がある。そこで、図示しない弁護士の銀行口座に還付された税金を代理受領し、その後、弁護士のコンピュータ８を用いて各種の決済を行うシステムとした。
【００１９】
図５は、こうした清算システムの具体的な動作を示すフローチャートである。
図のステップＳ３１において、還付された税金を弁護士が代理受領すると、ステップＳ３２において弁護士の代理受領費用が決済される。次にステップＳ３３においてコンサルタント会社の手数料が決済される。次のステップＳ３４で不動産鑑定費用の決済が行われ、ステップＳ３５において測量費用の決済が行われる。ステップＳ３６では修正申告費用の決済が行われる。これは税理士に対して行われる。次にステップＳ３７においてその残額を評価対象地の相続人に通知する。ここで相続人から弁護士に対し還付額の請求書を発行してもらう。ステップＳ３８では相続人が発行した請求書に対して決済が行われる。なお、代理受領処理は銀行のコンピュータが行い、決済のための演算処理は精算システム側のコンピュータが行うが、ここではまとめて説明をした。
【００２０】
このような決済処理を精算システム側で一括して行うことにより、顧客である相続人側の煩雑な費用支払い処理手数を軽減し、さらに、複数の相続人がいる場合の還付金の分配処理を適正にして、相続税還付請求処理の支援が可能になる。なお、上記の例では、相続人が確定申告を既に行った後の修正申告の可否判断を主体に説明をした。上記の精算システムを除くシステムにより、相続税の確定申告書作成支援が可能である。
【００２１】
図６は、相続税の確定申告書作成支援システムのブロック図である。
図７は、相続税の確定申告書作成支援システムの主要部動作フローチャートである。
このシステムは、図６に示すように、図１の見積もりシステム１１と、発注処理システム１２と、税務システム１３とで実現できる。見積もりシステム１１による図２の処理はかわらない。税務システム１３での、図３に示したフローチャートのステップＳ１４では、図７（ａ）に示すように、確定申告書の見本を編集して、ステップＳ１５で確定申告書見本を印刷し、顧客である相続人に渡すとよい。また、発注処理システム１２は、図７の（ｂ）で、ステップＳ２１で正式な不動産鑑定に基づく確定申告書提出のための発注契約書類を編集する。こうして、図７（ｃ）上に示すように、不動産鑑定士による不動産鑑定評価書が作成された後、税理士が確定申告書を税務所に提出して処理を終える。
【図面の簡単な説明】
【図１】    本発明の相続税還付支援システム具体例を示すブロック図である。
【図２】    見積もりシステムの動作フローチャートである。
【図３】    税務システムの動作フローチャートである。
【図４】    発注システムの動作フローチャートである。
【図５】    清算システムの具体的な動作を示すフローチャートである。
【図６】    相続税の確定申告書作成支援システムのブロック図である。
【図７】    相続税の確定申告書作成支援システムの主要部動作フローチャートである。
【符号の説明】
１  コンサルタント会社のコンピュータ
３  相続人
４  不動産会社
５  測量士のコンピュータ
６  不動産鑑定士のコンピュータ
７  税理士のコンピュータ
８  弁護士のコンピュータ
１０  税務署
【図１】
0004159740.tif 000002
【図２】
0004159740.tif 000003
【図３】
0004159740.tif 000004
【図４】
0004159740.tif 000005
【図５】
0004159740.tif 000006
【図６】
0004159740.tif 000007
【図７】
0004159740.tif 000008